(57)【要約】【課題】ユーザーがお湯の毎日の使用状況を簡単に把握することができる貯湯式給湯装置を提供する。【解決手段】湯水を貯湯する貯湯タンク６と、貯湯タンク６内の湯水を沸き上げる加熱部２と、表示部３１を備えたリモートコントローラ４とを備えた貯湯式給湯装置において、一日の実績使用湯量を所定の換算温度Ｔｃでの使用湯量Ｑに換算する使用湯量算出手段３４と、算出された前日までの過去複数日分の使用湯量Ｑを記憶する使用湯量記憶手段３５と、前日までの過去複数日分の使用湯量Ｑとその日数を基にグラフ情報を作成するグラフ情報作成手段３６と、作成されたグラフ情報をリモートコントローラ４の表示部３１にグラフ化して表示させる表示ドライバ回路３２とを備えたものとした。【選択図】　図２
2004085059.tif 000002
【特許請求の範囲】
【請求項１】
湯水を貯湯する貯湯タンクと、前記貯湯タンク内の湯水を沸き上げる加熱部と、表示部を備えたリモートコントローラとを備えた貯湯式給湯装置において、一日の実績使用湯量を所定の換算温度での使用湯量に換算する使用湯量算出手段と、前記使用湯量算出手段で算出された前日までの過去複数日分の使用湯量を記憶する使用湯量記憶手段と、前記使用湯量記憶手段に記憶されている前日までの過去複数日分の使用湯量とその日数を基にグラフ情報を作成するグラフ情報作成手段と、前記グラフ情報作成手段で作成されたグラフ情報を前記リモートコントローラの表示部にグラフ化して表示させる表示ドライバ回路とを備えたことを特徴とする貯湯式給湯装置。
【請求項２】
湯水を貯湯する貯湯タンクと、前記貯湯タンク内の湯水を沸き上げる加熱部と、表示部を備えたリモートコントローラとを備えた貯湯式給湯装置において、一日の実績使用湯量を所定の換算温度での使用湯量に換算する使用湯量換算手段と、前記使用湯量換算手段で算出された前日までの過去複数日分の使用湯量を記憶する使用湯量記憶手段と、前記使用湯量記憶手段に記憶されている前日までの過去複数日分の使用湯量とその日数を基にグラフ情報を作成するグラフ情報作成手段と、前記貯湯タンクに貯湯された熱量を前記所定の換算温度での使用可能湯量に換算する使用可能湯量換算手段と、前記使用可能湯量換算手段で算出された使用可能湯量を基に節約ガイド情報を作成する節約ガイド作成手段と、前記グラフ情報作成手段で作成されたグラフ情報および前記節約ガイド作成手段で作成された節約ガイド情報を前記リモートコントローラの表示部にグラフ化して表示させる表示ドライバ回路とを備えたことを特徴とする貯湯式給湯装置。
【請求項３】
湯水を貯湯する貯湯タンクと、前記貯湯タンク内の湯水を沸き上げる加熱部と、表示部を備えたリモートコントローラとを備えた貯湯式給湯装置において、一日の実績使用湯量を所定の換算温度での使用湯量に換算する使用湯量算出手段と、前記使用湯量算出手段で算出された使用湯量を記憶する使用湯量記憶手段と、前記使用湯量記憶手段に記憶されている使用湯量を前記リモートコントローラの表示部に表示させる表示ドライバ回路とを備えたことを特徴とする貯湯式給湯装置。
【請求項４】
湯水を貯湯する貯湯タンクと、前記貯湯タンク内の湯水を沸き上げる加熱部と、表示部を備えたリモートコントローラとを備えた貯湯式給湯装置において、一日の実績使用湯量を所定の換算温度での使用湯量に換算する使用湯量算出手段と、前記使用湯量算出手段で算出された前日までの過去複数日分の使用湯量を記憶する記憶する使用湯量記憶手段と、前記使用湯量記憶手段に記憶されている前日までの過去複数日分の使用湯量を前記リモートコントローラの表示部に表示させる表示ドライバ回路とを備えたことを特徴とする貯湯式給湯装置。
【請求項５】
前記貯湯タンクに貯湯された熱量を前記所定の換算温度での使用可能湯量に換算する使用可能湯量換算手段を備え、前記表示ドライバ回路はこの使用可能湯量を前記リモートコントローラの表示部に表示させるようにしたことを特徴とする請求項３または４記載の貯湯式給湯装置。
【請求項６】
湯水を貯湯する貯湯タンクと、前記貯湯タンク内の湯水を沸き上げる加熱部と、表示部を備えたリモートコントローラとを備えた貯湯式給湯装置において、一日の実績使用湯量を所定の換算温度での使用湯量に換算する使用湯量算出手段と、前記使用湯量算出手段で算出された前日までの過去複数日分の使用湯量を記憶する使用湯量記憶手段と、前記使用湯量記憶手段に記憶されている前日までの過去複数日分の使用湯量を前記リモートコントローラの表示部に同時に表示させる表示ドライバ回路とを備えたことを特徴とする貯湯式給湯装置。
【請求項７】
湯水を貯湯する貯湯タンクと、前記貯湯タンク内の湯水を沸き上げる加熱部と、表示部を備えたリモートコントローラとを備えた貯湯式給湯装置において、一日の実績使用湯量を所定の換算温度での使用湯量に換算する使用湯量算出手段と、前記使用湯量算出手段で算出された前日までの過去複数日分の使用湯量を記憶する使用湯量記憶手段と、前記貯湯タンクに貯湯された熱量を前記所定の換算温度での使用可能湯量に換算する使用可能湯量換算手段と、前記使用湯量記憶手段に記憶されている前日までの過去複数日分の使用湯量および使用可能湯量換算手段で算出された使用可能湯量を前記リモートコントローラの表示部に同時に表示させる表示ドライバ回路とを備えたことを特徴とする貯湯式給湯装置。
【請求項８】
前記使用可能湯量換算手段は、前記貯湯タンクに実際に貯湯された熱量を所定の換算温度に換算して使用可能湯量を算出すると共に、前記使用可能湯量換算手段で算出された前日までの複数日分の使用可能湯量と前記使用湯量算出手段で算出された前日までの複数日分の使用湯量とを対応させて前記使用湯量記憶手段に記憶させるようにしたことを特徴とする請求項２または５または７記載の貯湯式給湯装置。
【発明の詳細な説明】
【０００１】
【発明の属する技術分野】
本発明は貯湯式給湯装置に関するものである。
【０００２】
【従来の技術】
従来よりこの種の貯湯式給湯装置においては、貯湯タンク内の湯水を電熱ヒータやヒートポンプ回路等の加熱源で深夜電力を利用して高温に沸し上げ、この貯湯タンク内の高温の湯と給水管からの水とを設定温度に混合して給湯するものであった。このようなものには例えば特開２００１−２６３８０３号公報や特開２００１−３３０３１４号公報に開示されている貯湯式給湯装置が存在する。
【０００３】
【発明が解決しようとする課題】
しかし、このような従来のものでは、ユーザーがお湯の毎日の使用状況を把握することができないという課題があった。
【０００４】
【課題を解決するための手段】
そこで、この従来の課題を解決するため、請求項１では、湯水を貯湯する貯湯タンクと、前記貯湯タンク内の湯水を沸き上げる加熱部と、表示部を備えたリモートコントローラとを備えた貯湯式給湯装置において、一日の実績使用湯量を所定の換算温度での使用湯量に換算する使用湯量算出手段と、前記使用湯量算出手段で算出された前日までの過去複数日分の使用湯量を記憶する使用湯量記憶手段と、前記使用湯量記憶手段に記憶されている前日までの過去複数日分の使用湯量とその日数を基にグラフ情報を作成するグラフ情報作成手段と、前記グラフ情報作成手段で作成されたグラフ情報を前記リモートコントローラの表示部にグラフ化して表示させる表示ドライバ回路とを備えたものとした。
【０００５】
これにより、複数日分の使用湯量がリモートコントローラの表示部に給湯量グラフとしてグラフ化されて表示されるので一目で日々の使用湯量の変動を認識することができ、ユーザー自身による使用湯量の管理が容易に可能となり、しかも、その時々で貯湯タンク内の貯湯温度や給湯温度が異なっていても、所定の換算温度に換算されて使用湯量が算出されているので、日々あるいはその時々の使用条件が異なっていても使用湯量のグラフは同条件で表示されているため、日々の使用湯量の比較が非常に容易になる。
【０００６】
また、請求項２では、湯水を貯湯する貯湯タンクと、前記貯湯タンク内の湯水を沸き上げる加熱部と、表示部を備えたリモートコントローラとを備えた貯湯式給湯装置において、一日の実績使用湯量を所定の換算温度での使用湯量に換算する使用湯量換算手段と、前記使用湯量換算手段で算出された前日までの過去複数日分の使用湯量を記憶する使用湯量記憶手段と、前記使用湯量記憶手段に記憶されている前日までの過去複数日分の使用湯量とその日数を基にグラフ情報を作成するグラフ情報作成手段と、前記貯湯タンクに貯湯された熱量を前記所定の換算温度での使用可能湯量に換算する使用可能湯量換算手段と、前記使用可能湯量換算手段で算出された使用可能湯量を基に節約ガイド情報を作成する節約ガイド作成手段と、前記グラフ情報作成手段で作成されたグラフ情報および前記節約ガイド作成手段で作成された節約ガイド情報を前記リモートコントローラの表示部にグラフ化して表示させる表示ドライバ回路とを備えたものとした。
【０００７】
これにより、複数日分の使用湯量がリモートコントローラの表示部に給湯量グラフとしてグラフ化されて表示されるので一目で日々の使用湯量の変動を認識することができ、ユーザー自身による使用湯量の管理が容易に可能となり、しかも、その時々で貯湯タンク内の貯湯温度や給湯温度が異なっていても、所定の換算温度に換算されて使用湯量が算出されているので、日々あるいはその時々の使用条件が異なっていても使用湯量のグラフは同条件で表示されているため、日々の使用湯量の比較が非常に容易になる。さらに、貯湯タンクに貯湯された熱量を所定の換算温度での使用可能湯量として算出し、これを節約ガイドとしてグラフ上に表示するので、追加の沸かし増しを行わないで使用できる湯量が明確になり、ユーザー自身が使用湯量をこの節約ガイド以下に保つように管理することが容易に可能となる。
【０００８】
また、請求項３では、湯水を貯湯する貯湯タンクと、前記貯湯タンク内の湯水を沸き上げる加熱部と、表示部を備えたリモートコントローラとを備えた貯湯式給湯装置において、一日の実績使用湯量を所定の換算温度での使用湯量に換算する使用湯量算出手段と、前記使用湯量算出手段で算出された使用湯量を記憶する使用湯量記憶手段と、前記使用湯量記憶手段に記憶されている使用湯量を前記リモートコントローラの表示部に表示させる表示ドライバ回路とを備えたものとした。
【０００９】
これにより、その時々で貯湯タンク内の貯湯温度や給湯温度が異なっていても、所定の換算温度に換算されて使用湯量が算出されているので、日々あるいはその時々の使用条件が異なっていても使用湯量は同条件で表示されているため、日々の使用湯量を容易に把握することができる。
【００１０】
また、請求項４では、湯水を貯湯する貯湯タンクと、前記貯湯タンク内の湯水を沸き上げる加熱部と、表示部を備えたリモートコントローラとを備えた貯湯式給湯装置において、一日の実績使用湯量を所定の換算温度での使用湯量に換算する使用湯量算出手段と、前記使用湯量算出手段で算出された前日までの過去複数日分の使用湯量を記憶する記憶する使用湯量記憶手段と、前記使用湯量記憶手段に記憶されている前日までの過去複数日分の使用湯量を前記リモートコントローラの表示部に表示させる表示ドライバ回路とを備えたものとした。
【００１１】
これにより、複数日分の使用湯量をリモートコントローラの表示部に表示させることができるので、日々の使用湯量の変動を認識することができ、ユーザー自身による使用湯量の管理が容易に可能となり、しかも、その時々で貯湯タンク内の貯湯温度や給湯温度が異なっていても、所定の換算温度に換算されて使用湯量が算出されているので、日々あるいはその時々の使用条件が異なっていても使用湯量は同条件で表示されているため、日々の使用湯量の比較が容易になる。
【００１２】
また、請求項５では、前記請求項３または４のものにおいて、前記貯湯タンクに貯湯された熱量を前記所定の換算温度での使用可能湯量に換算する使用可能湯量換算手段を備え、前記表示ドライバ回路はこの使用可能湯量を前記リモートコントローラの表示部に表示させるようにした。
【００１３】
これにより、貯湯タンクに貯湯された熱量を所定の換算温度での使用可能湯量として算出し、これを表示するので、追加の沸かし増しを行わないで使用できる湯量が明確になり、ユーザー自身が使用湯量をこの使用可能湯量以下に保つように管理することが容易に可能となる。
【００１４】
また、請求項６では、湯水を貯湯する貯湯タンクと、前記貯湯タンク内の湯水を沸き上げる加熱部と、表示部を備えたリモートコントローラとを備えた貯湯式給湯装置において、一日の実績使用湯量を所定の換算温度での使用湯量に換算する使用湯量算出手段と、前記使用湯量算出手段で算出された前日までの過去複数日分の使用湯量を記憶する使用湯量記憶手段と、前記使用湯量記憶手段に記憶されている前日までの過去複数日分の使用湯量を前記リモートコントローラの表示部に同時に表示させる表示ドライバ回路とを備えたものとした。
【００１５】
これにより、複数日分の使用湯量をリモートコントローラの表示部に同時に表示させることができるので、日々の使用湯量の変動を容易に認識することができ、ユーザー自身による使用湯量の管理が容易に可能となり、しかも、その時々で貯湯タンク内の貯湯温度や給湯温度が異なっていても、所定の換算温度に換算されて使用湯量が算出されているので、日々あるいはその時々の使用条件が異なっていても使用湯量は同条件で表示されているため、日々の使用湯量の比較が容易になる。
【００１６】
また、請求項７では、湯水を貯湯する貯湯タンクと、前記貯湯タンク内の湯水を沸き上げる加熱部と、表示部を備えたリモートコントローラとを備えた貯湯式給湯装置において、一日の実績使用湯量を所定の換算温度での使用湯量に換算する使用湯量算出手段と、前記使用湯量算出手段で算出された前日までの過去複数日分の使用湯量を記憶する使用湯量記憶手段と、前記貯湯タンクに貯湯された熱量を前記所定の換算温度での使用可能湯量に換算する使用可能湯量換算手段と、前記使用湯量記憶手段に記憶されている前日までの過去複数日分の使用湯量および使用可能湯量換算手段で算出された使用可能湯量を前記リモートコントローラの表示部に同時に表示させる表示ドライバ回路とを備えたものとした。
【００１７】
これにより、複数日分の使用湯量をリモートコントローラの表示部に表示させることができるので、日々の使用湯量の変動を容易に認識することができ、ユーザー自身による使用湯量の管理が容易に可能となり、しかも、その時々で貯湯タンク内の貯湯温度や給湯温度が異なっていても、所定の換算温度に換算されて使用湯量が算出されているので、日々あるいはその時々の使用条件が異なっていても使用湯量は同条件で表示されているため、日々の使用湯量の比較が容易になる。さらに、貯湯タンクに貯湯された熱量を所定の換算温度での使用可能湯量として算出し、これを複数日分の使用湯量の表示と同時に表示するので、追加の沸かし増しを行わないで使用できる湯量が明確になり、ユーザー自身が使用湯量をこの使用可能湯量以下に保つように管理することが容易に可能となる。
【００１８】
また、請求項８では、前記使用可能湯量換算手段は、前記貯湯タンクに実際に貯湯された熱量を所定の換算温度に換算して使用可能湯量を算出すると共に、前記使用可能湯量換算手段で算出された前日までの複数日分の使用可能湯量と前記使用湯量算出手段で算出された前日までの複数日分の使用湯量とを対応させて前記使用湯量記憶手段に記憶させるようにした。
【００１９】
これにより、本当は使用可能な湯量を超過していたのに給湯湯量が節約ガイド以下に表示されて、節約ガイドがあるがために昼間電力での追加の沸き増しを誘発してしまうといった不具合を解消することができ、正確に算出された昼間電力による追加の沸かし増しを行わないで使用できる湯量と前日までの使用湯量との関係が一目でわかり、この安価な夜間電力により沸き上げられた湯で一日分の使用湯量をまかなうようにユーザー自身が使用湯量をこの節約ガイド以下に保つように管理しながら使用することが容易に可能となって、節水・省電力を促進できる効果がより高いものである。
【００２０】
【発明の実施の形態】
次に、本発明の一実施形態を図面に基づいて説明する。
１は貯湯タンクユニット、２はヒートポンプユニットよりなる加熱部、３は給湯栓、４はリモートコントローラ、５は電源である。
【００２１】
前記貯湯タンクユニット１は、湯水を貯湯する貯湯タンク６と、貯湯タンク４の上部に接続された出湯管７と、貯湯タンク６の下部に接続された給水管８と、出湯管７からの高温水と給水管８から分岐された分岐管９からの低温水とを混合するミキシング弁１０と、ミキシング弁８の下流に接続された給湯管１１と、給湯管１１に設けられた給湯温度センサ１２と、給湯管１１に設けられた給湯流量センサ１３と、給水管８に設けられた給水温度センサ１４と、出湯管７から分岐して接続された貯湯タンク６の過圧を逃す過圧逃し弁１５と、給水管８に設けられた入水圧を減圧する減圧弁１６と、貯湯タンク６の側面上下方向に複数設けられた貯湯温度センサ１７と、この貯湯タンクユニット１の制御を行うマイクロコンピュータを主に構成される給湯制御部１８と、貯湯タンク６と加熱部２とを接続して湯水を循環させる加熱循環回路１９とを備えて構成されている。
【００２２】
前記加熱部２は、二酸化炭素冷媒を圧縮するコンプレッサー２０と、凝縮器としての冷媒−水熱交換器２１と、減圧器２２と、蒸発器としての空気熱交換器２３よりなるヒートポンプ回路２４と、空気熱交換器２３に送風する送風機２５と、加熱循環回路１９途中に設けられた能力可変の循環ポンプ２６と、加熱循環回路１９の冷媒−水熱交換器２１入口側に設けられ、冷媒−水熱交換器２１に流入する湯水の温度を検出する熱交入口温度センサ２７と、加熱循環回路１９の冷媒−水熱交換器２１出口側に設けられ、冷媒−水熱交換器２１から流出する湯水の温度を検出する熱交出口温度センサ２８と、この加熱部２の制御を行うマイクロコンピュータを主に構成される加熱制御部２９とを備えて構成されている。
【００２３】
ここで、前記電源５は時間帯別電灯であり、夜間（ここでは２３時から翌７時まで）が割安な電力料金設定となっているもので、この割安な夜間電力を用いて夜間に一日に必要な貯湯熱量を沸かし上げて使用するものであり、また、この時間帯別電灯では昼間（７時から２３時まで）にも電力は供給される。なお、前記電源５は給湯制御部１８に接続され、この給湯制御部１８からリモートコントローラ４および加熱制御部２９（ヒートポンプ回路２４に必要な電力を含む）に有線にて通信信号が重畳されて電力供給されるものである。
【００２４】
そして、夜間時間帯になると前記給湯制御部１８が翌日に必要な貯湯熱量を演算し、この目標となる貯湯熱量を夜間時間帯の終了時までに沸き上げるよう加熱制御部２９に指示してヒートポンプ回路２４を作動させ、加熱循環回路１９の循環ポンプ２５を駆動開始する。そして、循環ポンプ２６の駆動により貯湯タンク６下部から取り出された湯水が加熱部２の冷媒−水熱交換器２１に流入して加熱され、加熱循環回路１９を介して貯湯タンク６の上部に戻されることにより高温の湯が貯湯される。
【００２５】
そして、貯湯タンク６の側面に設けられた貯湯温度センサ１７が所定の量の高温水が貯湯されたことを検出するか、または、熱交入口温度センサ２７が所定温度以上を検出すると、給湯制御部１８が加熱制御部２９へ加熱動作の停止を指令し、ヒートポンプ回路２４と循環ポンプ２６の作動が停止され、夜間時間帯の終了時までに貯湯動作を終了するものである。
【００２６】
なお、ここで、貯湯タンク６内に貯湯される熱量は給湯制御部１８により過去数日分の給湯負荷から適切と思われる熱量を目標貯湯熱量として算出されるもので、貯湯される湯水の温度は季節（または給水温度センサ１４で検出する給水温度）および目標貯湯熱量の大小によって６０℃〜９０℃の範囲で変動するものである。
【００２７】
前記リモートコントローラ４には給湯設定温度を設定するスイッチ等を含んだ操作部３０と、ドットマトリクス型の蛍光表示管よりなる表示部３１と、この表示部３１の駆動制御を行う表示ドライバ回路３２と、これら操作部３０、表示部３１、表示ドライバ回路３２を制御すると共に、前記給湯制御部１８と通信を行うマイクロコンピュータを主に構成されたリモコン制御部３３を備えており、前記表示部３１に操作部３０で設定された給湯設定温度や時刻情報および貯湯温度センサ１７で検知する残り貯湯量等が表示されるものである。なお、前記表示部３１はドットマトリクス型の液晶表示部としてもよい。
【００２８】
次に、給湯栓３を開くと、給水管８からの圧により貯湯タンク６上部の高温水が出湯管７に押し出され、給湯制御部１８により制御されるミキシング弁１０にて分岐管９の低温水と給湯温度センサ１２の検出する温度が前記リモートコントローラ４の操作部３０で設定された給湯設定温度になるように混合されて給湯管１１を介して給湯されるものである。
【００２９】
もしも給湯量が通常よりも多くなってしまい、昼間電力時間帯にて貯湯温度センサ１７で検出する残り貯湯量が少なくなったことを給湯制御部１８が検知し、貯湯タンク６内に貯湯された湯の湯切れが予想される場合は、その時点にて昼間電力を利用して必要な熱量の沸き増しが行われるものである。
【００３０】
次に、本発明の特徴的構成の第１の実施形態を図２に示したブロック図を基に説明する。
【００３１】
３４は一日の実績使用湯量を所定の換算温度での使用湯量に換算する使用湯量算出手段で、その一実施形態を説明すると、この使用湯量算出手段３４は前記給湯制御部１７内に構成されており、給湯動作毎に前記ミキシング弁１０でリモートコントローラ４の操作部３０で設定された給湯設定温度Ｔｓに混合された湯の使用量ｑを給湯流量センサ１３で監視し、その時の給湯設定温度Ｔｓと積算して個別使用熱量を算出する。そして一日分の個別使用熱量を全て加算して実績使用熱量を算出する。次に、実績使用熱量を予め定められた所定の換算温度Ｔｃから給水温度センサ１４で検知した給水温度Ｔｗを減算した値で除算することで、その時々で温度の異なる給湯を所定の換算温度Ｔｃでの使用湯量Ｑに換算して所定の条件下での使用状態に換算した使用湯量Ｑを算出するものである。
【００３２】
この使用湯量算出手段３４の作動を式で表すと、
Ｑ＝Σ（Ｔｓ・ｑ）／（Ｔｃ−Ｔｗ）
となる。
【００３３】
なお、この一実施形態では、実績使用熱量を算出するのに給湯設定温度Ｔｓで簡易的に計算しているが、実際の給湯温度を用いて実績使用熱量を算出しても良く、また、他の方法として貯湯温度センサ１７で検出される沸き上げ完了時の貯湯熱量と沸き上げ開始時の貯湯熱量の差から一日の実績使用熱量を算出しても良く、要は一日の実績使用湯量を何らかの方法にて検知することができれば良いものである。
【００３４】
３５は前記使用湯量算出手段３４で算出された前日までの過去複数日分の使用湯量Ｑを記憶する使用湯量記憶手段で、その一実施形態を説明すると、この使用湯量記憶手段３５は前記給湯制御部１７内に構成されており、前日までの７日分の使用湯量をその日数情報と対応して個別に記憶するもので、例えば一日前は何リットル、二日前は何リットルという要旨の情報を記憶しておくものである。そして、新たな使用湯量Ｑを記憶する際に、最古の使用湯量Ｑを消去すると共に、何日前かを表す日数情報を更新して記憶するようにしている。ここで、この一実施形態では記憶内容を湯量として記憶しているが、これに限らず他日と同一条件で比較できるような値を記憶しておけばよいものである。また、使用湯量Ｑと対応させる日数情報も何日前といった形式ではなく、曜日情報として記憶させても良く、その際、前日の曜日から遡って順列番号を付記して記憶すれば、前日から遡った順に並べ替えることが可能となる。
【００３５】
３６は前記使用湯量記憶手段３５に記憶されている前日までの過去複数日分の使用湯量Ｑとその日数を基にグラフ情報を作成するグラフ情報作成手段で、その一実施形態を説明すると、このグラフ情報作成手段３６は前記リモートコントローラ４内のリモコン制御部３３に構成されており、前記使用湯量記憶手段３５に記憶されている前日までの過去複数日分の使用湯量Ｑと日数を基に、予め決められたグラフ形式のフォーマットに使用湯量Ｑを表す日別の棒グラフの高さ情報を加味し、これらをまとめて表示部３１に表示させるための表示位置情報としてのグラフ情報を作成するものである。
【００３６】
前記表示ドライバ回路３２は、前記グラフ情報作成手段３６で作成されたグラフ情報が入力されると、これを表示部３１に使用湯量と日数を縦横の軸とした給湯量グラフＧとして表示させるようにしている。
【００３７】
このように、複数日分の使用湯量Ｑがリモートコントローラ４の表示部３１に給湯量グラフＧとしてグラフ化されて表示されるので一目で日々の使用湯量の変動を認識することができ、例えば二日前は無駄に使いすぎたなどと認識することが容易であると共に、日々の使用湯量Ｑの変遷を把握することが非常に容易で、ユーザー自身による使用湯量Ｑの管理が容易に可能となり、しかも、その時々で貯湯タンク６内の沸き上げ温度Ｔｈや給湯設定温度Ｔｓが異なっていても、所定の換算温度Ｔｃに換算されて使用湯量Ｑが算出されているので、日々あるいはその時々の使用条件が異なっていても使用湯量Ｑのグラフは同一条件下に換算されて表示されているため、日々の使用湯量Ｑの比較が非常に容易になるものである。
【００３８】
次に、３７は前記貯湯タンクに貯湯された熱量を前記所定の換算温度Ｔｃでの使用可能湯量Ｑｕに換算する使用可能湯量換算手段で、その一実施形態を説明すると、この使用可能湯量換算手段３７は前記給湯制御部１７内に構成されており、予め定められている貯湯タンク６の容量Ｖに貯湯タンク６内の湯の沸き上げ温度Ｔｈから給水温度Ｔｗを減算した値を積算した値を換算温度Ｔｃから給水温度Ｔｗを減算した値で除算した換算温度Ｔｃでの使用可能湯量Ｑｕを算出するものである。
【００３９】
この使用可能湯量換算手段３７の作動を式で表すと、
Ｑｕ＝Ｖ・（Ｔｈ−Ｔｗ）／（Ｔｃ−Ｔｗ）
となる。
【００４０】
なお、この使用可能湯量Ｑｕは毎日算出して日々の使用湯量Ｑと対応させて使用湯量記憶手段３５に記憶させても良いし、また、貯湯タンク容量Ｖは一定値であり、給水温度Ｔｗは季節変動はあるが日々の変動は少ないので、記憶容量を節約するため日々の使用湯量Ｑをグラフ化表示する時に、その時点で使用可能湯量Ｑｕを算出してそれ以前の複数日分に代用するようにしても良い。
【００４１】
３８は前記使用可能湯量換算手段３７で算出された使用可能湯量Ｑｕを基に追加の沸かし増しを行わないで使用できる湯量を示す節約ガイド情報を作成する節約ガイド作成手段で、その一実施形態を説明すると、この節約ガイド作成手段３８は前記リモートコントローラ４内のリモコン制御部３３に構成されており、前記使用可能湯量換算手段３７で算出された使用可能湯量Ｑｕを基に、前記グラフ形式のフォーマットに使用可能湯量Ｑｕをライン状で表すための表示位置情報としての節約ガイド情報を作成するものである。
【００４２】
そして、この節約ガイド情報が前記表示ドライバ回路３２に入力されると、表示部３１に使用湯量と日数を縦横の軸とした使用湯量Ｑのグラフに重ね合わせて節約ガイド情報もライン状に節約ガイドＬとしてグラフ化して表示させるようにしているものである。
【００４３】
このように、最大貯湯熱量を所定の換算温度Ｔｃでの使用可能湯量Ｑｕとして算出し、これを節約ガイドＬとしてグラフ上に表示するので、昼間電力による追加の沸かし増しを行わないで使用できる湯量と前日までの使用湯量Ｑとの関係が一目でわかるほど明確になり、安価な夜間電力により沸き上げられた湯で一日分の使用湯量Ｑをまかなうようにユーザー自身が使用湯量Ｑをこの節約ガイドＬ以下に保つように管理しながら使用することが容易に可能となる。
【００４４】
ここで、前記リモートコントローラ４の表示部３１には通常時は給湯設定温度や時刻情報および残り貯湯量等が表示されるもので、前記給湯量グラフＧおよび節約ガイドＬのグラフ化表示は、操作部３０の特定操作（複数スイッチの同時押しや、特定のスイッチ操作、あるいは特定のスイッチ操作からのメニュー式の選択操作等）によりグラフ化表示の指示があったときに、前記グラフ情報作成手段３６および節約ガイド作成手段３８を作動させ、前記通常時の表示を消して同じ表示部３１に表示され、一定時間（例えば１０秒間）の表示の後、または操作部３０の操作によって通常の表示に戻すようにしているものである。
【００４５】
なお、この一実施形態では、前記使用湯量算出手段３４、使用湯量記憶手段３５、使用可能湯量換算手段３７は給湯制御部１８に設け、グラフ情報作成手段３６および節約ガイド作成手段３８はリモコン制御部３３に設け、元データの収集や複雑な演算は給湯制御部１８に担当させて、そこで得られたシンプルで少量のデータをリモコン制御部３３に送信し、それをリモコン制御部３３側にて表示位置情報として加工してグラフ化表示するようにしているので通信にかかる処理または負荷を軽減することができるものであるが、これに限らず、前記使用湯量算出手段３４、使用湯量記憶手段３５、使用可能湯量換算手段３７、グラフ情報作成手段３６および節約ガイド作成手段３８は貯湯式給湯装置として備えていれば同じ作動が可能であるので、どこに備えられるかは限定されるものではない。
【００４６】
また、グラフの形式として縦棒グラフを例示しているが、これに限られず、横棒グラフや折れ線グラフなど、要はユーザーに分かり易く伝えるためにグラフ化という手法を用いていれば良いものであって、その形式が実施形態に限定されるものではない。また、節約ガイド情報はライン状に表示するようにしているが、これに限られるものでなく、例えば使用可能湯量Ｑｕを超過した使用湯量Ｑを異なる表示色（白抜き等）で表示して節約ガイド情報を認識可能に表示するようにしても良い。
【００４７】
また、この一実施形態では使用湯量算出手段３４および使用可能湯量換算手段３７の説明中に簡単かつ計算量の少ない演算式を例示しているが、本発明はこの演算式に限定されるものではなく、要は使用湯量を一定条件下で複数日分比較できるようにすれば良いものであって、他の複雑な演算式を用いることも可能である。
【００４８】
また、この一実施形態では、加熱部２として二酸化炭素冷媒を用いたヒートポンプユニットを例示したが、これに限らず、貯湯タンク６内に直接挿入された電熱ヒータでも良いもので、要は貯湯タンク６内の湯水を沸き上げるものであればよい。
【００４９】
次に、本発明の特徴的構成の第２の実施形態を図３に基づいて説明する。なお、前記第１の実施形態と同じものは同一の符号を付してその説明を省略する。
【００５０】
この第２の実施形態は第１の実施形態のグラフ情報作成手段３７と節約ガイド作成手段３８を省いたものであって、前記使用湯量算出手段３４で算出した使用湯量Ｑの表示形式が大きく異なるものである。
【００５１】
また、前記使用湯量記憶手段３５は、前記使用湯量算出手段３４で算出した日々の使用湯量Ｑと曜日情報および順列番号を対応させて記憶しており、新たな使用湯量Ｑを記憶する際に、最古の使用湯量Ｑを消去すると共に、前日の曜日から遡って順列番号を更新して記憶するようにし、前日から遡った順に並べ替えて表示できるようにしている。
【００５２】
ここでは、前記リモートコントローラ４の操作部３０の特定操作（複数スイッチの同時押しや、特定のスイッチ操作、あるいは特定のスイッチ操作からのメニュー式の選択操作等）により前記使用湯量記憶手段３５に記憶している使用湯量Ｑを前日までの最新のものから呼び出し、前記通常時の表示を消して同じ表示部３１に表示し、操作部３０の操作によって前記使用湯量記憶手段３５に記憶している古い使用湯量Ｑを順次表示するようにしているものである。
【００５３】
そして、前記使用湯量記憶手段３５に記憶された最古の使用湯量Ｑを呼び出し表示した後の操作部３０の操作があると、前記使用可能湯量換算手段３７を作動させて追加の沸かし増しを行わないで使用できる湯量Ｑｕを表示させ、一定時間（例えば１０秒間）の表示の後、使用湯量Ｑの表示を通常の表示に戻すようにしているものである。なお、図３中に示したブロック矢印は操作部３０の操作に伴う表示部３１の表示変遷を示す。
【００５４】
このように、その時々で貯湯タンク６内の湯水の沸き上げ温度Ｔｈや給湯温度Ｔｓが異なっていても、所定の換算温度Ｔｃに換算されて使用湯量Ｑが算出され、これを表示するので、日々あるいはその時々の使用条件が異なっていても使用湯量Ｑは同条件で表示されているため、日々の使用湯量Ｑを容易に把握することができる。
【００５５】
しかも、操作部３０の操作によって前日の使用湯量Ｑだけでなくそれ以前の使用湯量Ｑを遡って表示することも可能であるので、少ない表示スペースで多くの情報をユーザーに伝達することができると共に、ユーザー自身によって日々の使用湯量Ｑの管理が可能となるものである。
【００５６】
さらには、最大貯湯熱量を所定の換算温度Ｔｃでの使用可能湯量Ｑｕとして算出し、これを表示するので、追加の沸かし増しを行わないで使用できる湯量が明確になり、ユーザー自身が日々の使用湯量Ｑをこの使用可能湯量以下に保つように管理することが容易に可能となる。
【００５７】
次に、本発明の特徴的構成の第３の実施形態を図４、図５に基づいて説明する。なお、前記第１または第２の実施形態と同じものは同一の符号を付してその説明を省略する。
【００５８】
この第２の実施形態では第１の実施形態のグラフ情報作成手段３７と節約ガイド作成手段３８を省いたものであって、前記使用湯量算出手段３４で算出した使用湯量Ｑの表示形式が大きく異なると共に、前記使用湯量算出手段３４の具体的な算出方法が異なるものである。
【００５９】
前記使用湯量算出手段３４は、一日の実績使用湯量を所定の換算温度での使用湯量に換算することには変わりがないが、前記出湯管７に設けられた出湯温度センサ３９で検出する出湯温度Ｔｏから給水温度センサ１４で検知した給水温度Ｔｗを減算した値と、前記出湯管７に設けられた出湯流量センサ４０で検出するその時々の出湯流量ｑｏとを積算して個別使用熱量を算出する。そして一日分の個別使用熱量を全て加算して実績使用熱量を算出する。次に、実績使用熱量を予め定められた所定の換算温度Ｔｃから給水温度センサ１４で検出した給水温度Ｔｗを減算した値で除算することで、その時々で温度の異なる給湯を所定の換算温度Ｔｃでの使用湯量Ｑに換算して所定の条件下での使用状態に換算した使用湯量Ｑを算出するものである。
【００６０】
この第３の実施形態での使用湯量算出手段３４の作動を式で表すと、
Ｑ＝Σ｛（Ｔｓ−Ｔｗ）・ｑｏ｝／（Ｔｃ−Ｔｗ）
となるものである。
【００６１】
また、前記使用湯量記憶手段３５は、前記使用湯量算出手段３４で算出した日々の使用湯量Ｑと曜日情報および順列番号を対応させて記憶しており、新たな使用湯量Ｑを記憶する際に、最古の使用湯量Ｑを消去すると共に、前日の曜日から遡って順列番号を更新して記憶するようにし、前日から遡った順に並べ替えて表示できるようにしている。
【００６２】
そして、前記リモートコントローラ４の操作部３０の特定操作（複数スイッチの同時押しや、特定のスイッチ操作、あるいは特定のスイッチ操作からのメニュー式の選択操作等）があると、前記使用湯量記憶手段３５に記憶している複数日分の使用湯量Ｑを日数情報と共に呼び出し、前記通常時の表示を消して同じ表示部３１に複数日分の使用湯量Ｑおよび日数情報を同時に表示させると同時に、前記使用可能湯量換算手段３７を作動させて追加の沸かし増しを行わないで使用できる湯量Ｑｕを同時に表示させ、そして一定時間（例えば１０秒間）の表示の後、または操作部３０の操作によって通常の表示に戻すようにしているものである。
【００６３】
このように、その時々で貯湯タンク６内の湯水の沸き上げ温度Ｔｈや給湯温度Ｔｓが異なっていても、所定の換算温度Ｔｃに換算されて使用湯量Ｑが算出され、これを複数日分同時に表示するので、日々あるいはその時々の使用条件が異なっていても使用湯量Ｑは同条件で表示されているため、日々の使用湯量Ｑの変遷を容易に把握することができ、一度に多くの情報をユーザーに伝達することができると共に、ユーザー自身によって日々の使用湯量Ｑの管理が可能となるものである。
【００６４】
さらには、最大貯湯熱量を所定の換算温度Ｔｃでの使用可能湯量Ｑｕとして算出し、これを複数日分の使用湯量Ｑの表示と同時に表示するので、追加の沸かし増しを行わないで使用できる湯量と前日までの使用湯量Ｑの関係が明確になり、ユーザー自身が日々の使用湯量Ｑをこの使用可能湯量以下に保つように管理することが容易に可能となる。
【００６５】
次に、本発明の特徴的構成の第４の実施形態を図６に基づいて説明する。なお、前記第１、第２、第３の実施形態と同じものは同一の符号を付してその説明を省略する。
【００６６】
この第４の実施形態は第１の実施形態における使用可能湯量換算手段３７の別実施形態を示すものであって、この第４の実施形態における使用可能湯量換算手段は、前記貯湯タンク４に実際に貯湯された熱量Ｑｒを所定の換算温度Ｔｃに換算して使用可能湯量Ｑｕを算出すると共に、前記使用可能湯量換算手段３７で算出された前日までの複数日分の使用可能湯量Ｑｕと前記使用湯量算出手段３４で算出された前日までの複数日分の使用湯量Ｑとを対応させて前記使用湯量記憶手段３５に記憶させるようにしたもので、その一実施形態を説明すると、実際に貯湯された熱量Ｑｒを換算温度Ｔｃから給水温度Ｔｗを減算した値で除算した換算温度Ｔｃでの使用可能湯量Ｑｕを算出するものである。
【００６７】
ここで、前記の実際に貯湯された熱量Ｑｒは前記給湯制御部１８によって夜間時間帯になったタイミングで翌日に必要な貯湯熱量として演算され、その時点での残りの貯湯熱量を減算した沸き上げ必要熱量分だけ夜間時間帯の終了までに沸き上げるようにしているものである。
【００６８】
この使用可能湯量換算手段３７の作動を式で表すと、
Ｑｕ＝Ｑｒ／（Ｔｃ−Ｔｗ）
となる。
【００６９】
そして、前記リモートコントローラ４の操作部３０の特定操作（複数スイッチの同時押しや、特定のスイッチ操作、あるいは特定のスイッチ操作からのメニュー式の選択操作等）によりグラフ化表示の指示があったときに、前記使用湯量記憶手段３５から前日までの複数日分の使用湯量Ｑおよび使用可能湯量Ｑｒを呼び出して前記グラフ情報作成手段３６および節約ガイド作成手段３８を作動させ、前記通常時の表示を消して同じ表示部３１に表示され、一定時間（例えば１０秒間）の表示の後、または操作部３０の操作によって通常の表示に戻すようにしているものである。
【００７０】
このように、この第４の実施形態の使用可能湯量算出手段３７は日々で異なる実際の使用可能湯量Ｑを算出するようにして、それを表示部３１に表示するようにしているので、本当は使用可能な湯量を超過していたのに給湯湯量のグラフＧが節約ガイドＬ以下に表示されて、節約ガイドＬがあるがために昼間電力での追加の沸き増しを誘発してしまうといった不具合を解消することができ、正確に算出された昼間電力による追加の沸かし増しを行わないで使用できる湯量と前日までの使用湯量Ｑとの関係が一目でわかり、この安価な夜間電力により沸き上げられた湯で一日分の使用湯量Ｑをまかなうようにユーザー自身が使用湯量Ｑをこの節約ガイドＬ以下に保つように管理しながら使用することが容易に可能となって、節水・省電力を促進できる効果がより高いものである。
【００７１】
【発明の効果】
以上のように、本発明の請求項１によれば、複数日分の使用湯量がリモートコントローラの表示部にグラフ化されて表示されるので一目で日々の使用湯量の変動を非常に容易に認識することができ、ユーザー自身による使用湯量の管理が容易に可能となり、しかも、その時々で貯湯タンク内の貯湯温度や給湯温度が異なっていても、所定の換算温度に換算されて使用湯量が算出されているので、日々あるいはその時々の使用条件が異なっていても使用湯量のグラフは同条件で表示されているため、日々の使用湯量の比較が非常に容易になる。
【００７２】
また、請求項２によれば、複数日分の使用湯量がリモートコントローラの表示部にグラフ化されて表示されるので一目で日々の使用湯量の変動を非常に容易に認識することができ、ユーザー自身による使用湯量の管理が容易に可能となり、しかも、その時々で貯湯タンク内の貯湯温度や給湯温度が異なっていても、所定の換算温度に換算されて使用湯量が算出されているので、日々あるいはその時々の使用条件が異なっていても使用湯量のグラフは同条件で表示されているため、日々の使用湯量の比較が非常に容易になる。さらに、貯湯タンクに貯湯された熱量を所定の換算温度での使用可能湯量として算出し、これを節約ガイドとしてグラフ上に表示するので、追加の沸かし増しを行わないで使用できる湯量が明確になり、ユーザー自身が使用湯量をこの節約ガイド以下に保つように管理することが非常に容易に可能となる。
【００７３】
また、請求項３によれば、その時々で貯湯タンク内の貯湯温度や給湯温度が異なっていても、所定の換算温度に換算されて使用湯量が算出されているので、日々あるいはその時々の使用条件が異なっていても使用湯量は同条件で表示されているため、日々の使用湯量を容易に把握することができる。
【００７４】
また、請求項４によれば、複数日分の使用湯量をリモートコントローラの表示部に表示させることができるので、日々の使用湯量の変動を認識することができ、ユーザー自身による使用湯量の管理が容易に可能となり、しかも、その時々で貯湯タンク内の貯湯温度や給湯温度が異なっていても、所定の換算温度に換算されて使用湯量が算出されているので、日々あるいはその時々の使用条件が異なっていても使用湯量は同条件で表示されているため、日々の使用湯量の比較が容易になる。
【００７５】
また、請求項５によれば、貯湯タンクに貯湯された熱量を所定の換算温度での使用可能湯量として算出し、これを表示するので、追加の沸かし増しを行わないで使用できる湯量が明確になり、ユーザー自身が使用湯量をこの使用可能湯量以下に保つように管理することが容易に可能となる。
【００７６】
また、請求項６によれば、複数日分の使用湯量をリモートコントローラの表示部に同時に表示させることができるので、日々の使用湯量の変動を容易に認識することができ、ユーザー自身による使用湯量の管理が容易に可能となり、しかも、その時々で貯湯タンク内の貯湯温度や給湯温度が異なっていても、所定の換算温度に換算されて使用湯量が算出されているので、日々あるいはその時々の使用条件が異なっていても使用湯量は同条件で表示されているため、日々の使用湯量の比較が容易になる。
【００７７】
また、請求項７によれば、複数日分の使用湯量をリモートコントローラの表示部に表示させることができるので、日々の使用湯量の変動を容易に認識することができ、ユーザー自身による使用湯量の管理が容易に可能となり、しかも、その時々で貯湯タンク内の貯湯温度や給湯温度が異なっていても、所定の換算温度に換算されて使用湯量が算出されているので、日々あるいはその時々の使用条件が異なっていても使用湯量は同条件で表示されているため、日々の使用湯量の比較が容易になる。さらに、貯湯タンクに貯湯された熱量を所定の換算温度での使用可能湯量として算出し、これを複数日分の使用湯量の表示と同時に表示するので、追加の沸かし増しを行わないで使用できる湯量が明確になり、ユーザー自身が使用湯量をこの使用可能湯量以下に保つように管理することが容易に可能となる。
【００７８】
また、請求項８によれば、本当は使用可能な湯量を超過していたのに給湯湯量が節約ガイド以下に表示されて、節約ガイドがあるがために昼間電力での追加の沸き増しを誘発してしまうといった不具合を解消することができ、正確に算出された昼間電力による追加の沸かし増しを行わないで使用できる湯量と前日までの使用湯量との関係が一目でわかり、この安価な夜間電力により沸き上げられた湯で一日分の使用湯量をまかなうようにユーザー自身が使用湯量をこの節約ガイド以下に保つように管理しながら使用することが容易に可能となって、節水・省電力を促進できる効果がより高いものである。
【図面の簡単な説明】
【図１】本発明の第１、第２および第４の実施形態の概略構成図。
【図２】本発明の第１の実施形態のブロック図。
【図３】本発明の第２の実施形態のブロック図。
【図４】本発明の第３の実施形態の概略構成図。
【図５】本発明の第３の実施形態のブロック図。
【図６】本発明の第４の実施形態のブロック図。
【符号の説明】
２　加熱部
４　リモートコントローラ
６　貯湯タンク
３０　操作部
３１　表示部
３２　表示ドライバ回路
３４　使用湯量算出手段
３５　使用湯量記憶手段
３６　グラフ情報作成手段
３７　使用可能湯量換算手段
３８　節約ガイド作成手段
Ｔｃ　換算温度
Ｑ　　使用湯量
Ｑｕ　使用可能湯量
Ｇ　　給湯量グラフ
Ｌ　　節約ガイド
【図１】
2004085059.tif 000003
【図２】
2004085059.tif 000004
【図３】
2004085059.tif 000005
【図４】
2004085059.tif 000006
【図５】
2004085059.tif 000007
【図６】
2004085059.tif 000008